(57)【要約】【課題】車載バッテリの充電期間中に吸湿材の再生を適切に行い、充電期間終了時における車室内の結露を抑制する。【解決手段】ヒータ９により温めた空気を再生用経路４を介して吸湿材８の上流側に導入し、吸湿材８の水分吸収性能を回復させる再生機能を有するデシカント式車両空調装置１であって、車載バッテリの充電期間の開始時期にヒータ９を作動させて吸湿材８に吸収された水分の一部を蒸発させる第１の再生を行い(S20)、充電期間の終了時期に吸湿材８に吸収された水分の残りを蒸発させる第２の再生(S90)を行う。【選択図】図３
2015024707.tif 000002
【特許請求の範囲】
【請求項１】
外部電源から車載バッテリを充電可能な車両に搭載され、
車室外から車室内へ空気を導入する空気導入経路と、
前記空気導入経路に設けられ、前記空気導入経路を通過する空気から水分を吸収する吸湿材と、
前記吸湿材の下流側の前記空気導入経路に設けられたヒータと、
前記ヒータを通過した空気を前記吸湿材の上流側の前記空気導入経路に還流させる還流路と、
前記ヒータにより温めた空気を前記還流路を介して前記吸湿材の上流側に還流させ、前記吸湿材に吸収された水分を蒸発させ、当該水分を含んだ空気を前記車室内に排出して、前記吸湿材の水分吸収性能を回復させる再生制御手段と、
を備えたデシカント式車両空調装置であって、
前記再生制御手段は、前記車載バッテリの充電期間の開始時期に前記ヒータを作動させて前記吸湿材に吸収された水分の一部を蒸発させる第１の再生を行い、前記充電期間の終了時期に前記吸湿材に吸収された水分の残りを蒸発させる第２の再生を行うことを特徴とするデシカント式車両空調装置。
【請求項２】
前記第２の再生の実行時間は、前記第１の再生の実行時間より短く設定されることを特徴とする請求項１に記載のデシカント式車両空調装置。
【請求項３】
前記空気導入経路を通過して前記車室内に排出する空気の流量を可変させる空気流量可変手段と、
前記車両の外気温度を検出する外気温度検出手段と、を備え、
前記再生制御手段は、更に、前記第２の再生において、前記外気温度検出手段により検出された外気温度に基づいて前記空気流量可変手段を制御することを特徴とする請求項１または２に記載のデシカント式車両空調装置。
【請求項４】
前記再生制御手段は、前記外気温度検出手段により検出された外気温度が所定温度より高い場合には、前記第１の再生を行わず、前記第２の再生によって前記吸湿材の再生を行うことを特徴とする請求項３に記載のデシカント式車両空調装置。
【請求項５】
設定時刻に基づいて自動的に空調を行うプレ空調制御手段を有し、
前記充電期間の前記終了時期は、前記プレ空調制御手段における前記設定時刻に基づいて設定されることを特徴とする請求項１〜４のいずれか１項に記載のデシカント式車両空調装置。
【発明の詳細な説明】
【技術分野】
【０００１】
本発明は、デシカント式車両空調装置における吸湿材の再生制御技術に関する。
【背景技術】
【０００２】
近年、吸湿材を用いることで、消費エネルギーを抑えて除湿が可能なデシカント式車両空調装置が開発されている。
例えば、特許文献１には、デシカント式車両空調装置が開示されている。特許文献１のデシカント式車両空調装置は、車外からの空気取り入れ口と車室内への空気排出口とを連通する空気導入経路と、車室内または車外の空気を取り入れ車外に排出する再生用経路を備えている。空気導入経路にはヒータ及び冷房用の熱交換器が配置されている。更に、空気導入経路と再生用経路とを隣接させた位置に吸湿材（吸湿ロータ）を備え、吸湿材を回転させて空気導入経路と再生用経路との間を移動可能に構成している。吸湿材は、空気導入経路に位置する部位で空気内の水分を吸収して除湿を行い、その後再生用経路に移動して再生用経路を通過する空気に水分を排出することで、吸湿性能を回復させる再生が可能となっている。
【先行技術文献】
【特許文献】
【０００３】
【特許文献１】特開２００６−２４０５７３号公報
【発明の概要】
【発明が解決しようとする課題】
【０００４】
上記特許文献１のようにデシカント式車両空調装置を電気自動車に搭載することで、除湿時の電力消費を抑えることができる。
更に、車両空調装置の小型化を図るために、吸湿材を空気導入経路のみに固定して配置し、ヒータ通過後の空気の一部を再生用経路によって吸湿材に導入可能な構造として、例えば車載バッテリの充電期間中に、外気を導入しながら、ヒータで温めた空気の一部を再生用経路を介して吸湿材に導入し通過させて、吸湿材の水分を除去する車両空調装置が開発されている。
【０００５】
しかしながら、このような構成の車両空調装置では、吸湿材から排出された水分を含む空気が車室内に排出されるので、車室内の湿度が上昇してしまう。
したがって、このように車室内の湿度が上昇した状態では、車両の窓ガラスが結露する虞があり、例えば車載バッテリの充電期間が終了し発進しようとしても、すぐには発進できないといった問題が発生してしまう。
【０００６】
本発明は、上述した課題を解決すべくなされたものであり、その目的とするところは、車載バッテリの充電期間における吸湿材の再生制御を適切に行い、充電期間終了時における車室内の結露を抑制するデシカント式車両空調装置を提供することにある。
【課題を解決するための手段】
【０００７】
上記の目的を達成するべく、請求項１のデシカント式車両空調装置は、外部電源から充電可能な車両に搭載され、車外から車室内へ空気を導入する空気導入経路と、空気導入経路に設けられ、空気導入経路を通過する空気から水分を吸収する吸湿材と、吸湿材の下流側の空気導入経路に設けられたヒータと、ヒータを通過した空気を吸湿材の上流側の空気導入経路に還流させる還流路と、ヒータにより温めた空気を還流路を介して吸湿材の上流側に還流させ、吸湿材に吸収された水分を蒸発させ、当該水分を含んだ空気を車室内に排出して、吸湿材の水分吸収性能を回復させる再生制御手段と、を備えたデシカント式車両空調装置であって、再生制御手段は、車載バッテリの充電期間の開始時期にヒータを作動させて吸湿材に吸収された水分の一部を蒸発させる第１の再生を行い、充電期間の終了時期に吸湿材に吸収された水分の残りを蒸発させる第２の再生を行うことを特徴とする。
【０００８】
また、請求項２のデシカント式車両空調装置は、請求項１において、第２の再生の実行時間は、第１の再生の実行時間より短く設定されることを特徴とする。
また、請求項３のデシカント式車両空調装置は、請求項１または２において、空気導入経路を通過して車室内に排出する空気の流量を可変させる空気流量可変手段と、車両の外気温度を検出する外気温度検出手段と、を備え、再生制御手段は、更に、第２の再生において、外気温度検出手段により検出された外気温度に基づいて空気流量可変手段を制御することを特徴とする。
【０００９】
また、請求項４のデシカント式車両空調装置は、請求項３において、再生制御手段は、外気温度検出手段により検出された外気温度が所定温度より高い場合には、第１の再生を行わず、第２の再生によって吸湿材の再生を行うことを特徴とする。
また、請求項５のデシカント式車両空調装置は、請求項１から４のいずれか１項において、設定時刻に基づいて自動的に空調を行うプレ空調制御手段を有し、充電期間の終了時期は、プレ空調制御手段における設定時刻に基づいて設定されることを特徴とする。
【発明の効果】
【００１０】
請求項１のデシカント式車両空調装置によれば、車載バッテリの充電期間において再生制御手段によって吸湿材の再生が行われるが、当該再生が充電期間の開始時期と終了時期との２つの期間に分けて行なわれるので、充電期間の終了時期に行う第２の再生における吸湿材からの水分の蒸発量を抑制することができる。これにより、第２の再生において吸湿材から蒸発した水分を含む空気が車室内に排出されても、車両の窓ガラスの結露を抑制することができる。したがって、充電期間終了時にすぐに車両の発進を可能にすることができる。
【００１１】
また、第２の再生終了時での吸湿材の顕熱を、その後の暖房に利用することができ、当該暖房による消費エネルギーを低減させることができる。
請求項２のデシカント式車両空調装置によれば、第２の再生の実行時間が第１の再生の実行時間より短く設定されるので、充電期間の終了時期に実行される第２の再生での吸湿材からの水分の蒸発量をより少なくすることができ車両の窓ガラスの結露を更に抑制することができる。
【００１２】
請求項３のデシカント式車両空調装置によれば、第２の再生において、外気温度に基づいて車室内に排出される空気の流量が可変制御されるので、外気温度に応じて変化する結露限界を超えないように車室内に流入する空気の流量を制御することができ、車両の窓ガラスの結露を確実に防止することができる。
請求項４のデシカント式車両空調装置によれば、外気温度が所定温度より高い場合には、第１の再生を行わず、第２の再生のみによって吸湿材の再生を行うので、第２の再生での車両の窓ガラスの結露を抑制しつつ、第２の再生終了時での吸湿材の顕熱を増加させ、その後の暖房における消費エネルギーを更に低減させることができる。
【００１３】
請求項５のデシカント式車両空調装置によれば、プレ空調制御手段において空調を自動的に行う設定時刻に基づいて、車両の窓ガラスの結露を抑制しつつ第２の再生を行って吸湿材の再生を完了させることができる。したがって、プレ空調制御手段における設定時刻に吸湿材の性能が回復された状態にして、すぐに車両の発進を可能にすることができる。
【図面の簡単な説明】
【００１４】
【図１】本発明の一実施形態に係る車両空調装置の室内ユニットの概略構成図である。
【図２】本実施形態に係る車両空調コントロールユニットでの再生制御要領を示す。
【図３】外気温度の低温時での充電期間におけるヒータ、ブロアファンの作動状況の一例を示すタイムチャートである。
【図４】外気温度の高温時での充電期間におけるヒータ、ブロアファンの作動状況の一例を示すタイムチャートである。
【発明を実施するための形態】
【００１５】
以下、本発明の実施形態について図面を参照しながら説明する。
本実施形態に係る車両空調装置１は、吸湿材８により除湿を行うデシカント式車両空調装置であって、電気自動車（以下、車両という）に搭載されている。
本実施形態に係る車両は、車両に搭載された図示しない車載バッテリから電力を供給して走行モータを駆動し走行する。車両には、充電コードを介して外部から供給された電力によって車載バッテリを充電する充電機が搭載されており、例えば深夜のように車両を使用していない時間帯で、車載バッテリの充電が行われる。
【００１６】
本実施形態の車両空調装置１には、公知のプレ空調機能が備えられている。 プレ空調機能は、あらかじめ設定した設定時刻に車室内の温度が設定温度になるように、設定時刻より前から自動的に空調を作動開始させる機能である。乗員が設定時刻に車両に乗り込んだときにあらかじめ車室内の温度を設定温度にしておくことで、快適性を高めることができる。なお、当該プレ空調機能は、車両空調コントロールユニット３０によって制御され、本願発明のプレ空調制御手段に該当する。
【００１７】
図１は、本実施形態における車両空調装置１の室内ユニット２の概略構造図である。
図１に示すように、本実施形態に係る室内ユニット２は、車両のインストルメントパネル内に設置されており、空気導入経路３と再生用経路４(還流路)の２つの空気流路を有している。
空気導入経路３は、空気取り入れ口５と、車室内への空気排出口６との間を連通する通路であり、その内部には、ブロアファン７（空気流量可変手段）、吸湿材８、ヒータ９及び図示しない冷媒循環路が接続された熱交換器を備えている。
【００１８】
空気取り入れ口５は、車室外から外気を導入する外気導入口１０と車室内の空気を導入する内気導入口１１の２つを有し、内外気切換ダンパ１２によって、外気導入口１０及び内気導入口１１の開口面積を可変制御し、外気及び内気の空気導入経路３への流入量を可変可能に構成されている。
内外気切換ダンパ１２の下流の空気導入経路３には、上流側から順番にブロアファン７、吸湿材８、ヒータ９が配置されている。
【００１９】
ブロアファン７は、空気取り入れ口５から下流側の空気排出口６へ向かって空気を送る機能を有する。
吸湿材８は、空気導入経路３を通過する空気から水分を吸収する機能を有する公知のフィルタ状の部材であって、空気導入経路３を通過する空気の全量が吸湿材８を通過するように配置されている。
【００２０】
ヒータ９は、暖房用に用いられるヒータであって、空気導入経路３の流路面積の一部に配置されている。なお、ヒータ９は、例えば電気ヒータ、ヒートポンプや燃焼式ヒータである。
ヒータ９の上流側の空気導入経路内には、温調ダンパ１３が設けられている。温調ダンパ１３は、吸湿材８を通過した空気の殆どがヒータ９に流入する第１の位置Ｐ1と、吸湿材を通過した空気の殆どがヒータ９に流入しない位置Ｐ2との間で移動可能であって、吸湿材８を通過した空気のヒータ９への流量を制御する機能を有する。
【００２１】
空気導入経路３の下流側端部にある空気排出口６は、クーラ吹出口２０、デフロスタ吹出口２１及びヒータ吹出口２３の３つから構成されている。
クーラ吹出口２０は、ヒータ９を通過しない空気がスムーズに排出されるように、ヒータ９の位置から空気導入経路３の流路方向に対して垂直方向にずれて配置されている。
デフロスタ吹出口２１は、クーラ吹出口２０に隣接して配置されている。
【００２２】
ヒータ吹出口２３は、ヒータ９を通過した空気がスムーズに排出するように、ヒータ９に面してその下流側に配置されている。
空気導入経路３の下流側端部には、クーラ吹出口２０とデフロスタ吹出口２１との分岐部に、第１のモード切換ダンパ２４が設けられている。第１のモード切換ダンパ２４は、クーラ吹出口２０の開口面積及びデフロスタ吹出口２４の開口面積を可変制御し、空気導入経路３からクーラ吹出口２０及びデフロスタ吹出口２１への空気の排出量を調整する機能を有する。
【００２３】
また、空気導入経路３の下流側端部には、ヒータ吹出口２３を開閉する第２のモード切換ダンパ２５が設けられている。
再生用経路４は、空気導入経路３のヒータ９より下流側から分岐して、内外気切換ダンパ１２とブロアファン７との間の空気導入経路３に接続されている。再生用経路４の入口２６は、ヒータ吹出口２３に隣接し、ヒータ９を通過した空気の多くが流入するように、ヒータ９に面して下流側に配置されている。
【００２４】
また、空気導入経路３の下流側端部には、再生用経路４の入口２６を開閉する流路切換ダンパ２７が設けられている。
ブロアファン７、ヒータ９、内外気切換ダンパ１２、温調ダンパ１３、第１のモード切換ダンパ２４、第２のモード切換ダンパ２５、流路切換ダンパ２７は、夫々車両空調コントロールユニット３０によって作動制御される。
【００２５】
更に、本実施形態の車両には、外気温度を検出する外気温度センサ３１（外気温度検出手段）を備えている。
車両空調コントロールユニット３０は、公知の車両空調コントロールユニットと同様に、車両の空調操作装置から設定温度、内外気切り換え、設定風量等の信号、及び車室内温度を入力し、ブロアファン７、ヒータ９、内外気切換ダンパ１２、温調ダンパ１３、第１のモード切換ダンパ２４、第２のモード切換ダンパ２５及び図示しない冷媒循環路の冷媒循環用ポンプ等を作動制御して、車室内の暖房及び冷房等の空調を行う機能を有する。なお、このような車室内の空調時には、流路切換ダンパ２７は、再生用経路４の入口２６を閉じるように作動制御される。
【００２６】
上記のように、吸湿材８を備えた車両空調装置１では、空気導入経路３を通過する空気が吸湿材８を通過する際に、空気中の水分が吸収され、湿度が低下する。したがって、冷房及び暖房の両方を作動させて除湿させるような吸湿材８のない車両空調装置と比較して、除湿時において電力消費を大幅に低下させることができる。
上記再生用経路４は、吸湿材８に吸収された水分を排出し、吸湿材８の水分吸収性能を回復させる吸湿材８の再生時に使用される。
【００２７】
車両空調コントロールユニット３０は、吸湿材８の再生時に、再生用経路４の入口２６を開くように流路切換ダンパ２７を制御するとともに、外気導入口１０を若干開くように内外気切換ダンパ１２を制御する。更に、吸湿材８を通過した空気の一部がヒータ９に流入するように温調ダンパ１３を中間位置Ｐ３に制御し、デフロスタ吹出口２１が閉じるように第１のモード切換ダンパ２４を制御する。そして、ヒータ９及びブロアファン７を作動させる。なお、この吸湿材８の再生時における制御を行う車両空調コントロールユニット３０が本発明の再生制御手段に該当する。
【００２８】
これにより、ヒータ９を通過して温められた空気が再生用経路４を介して空気導入経路３のブロアファン７の上流側に還流される。そして、この温められた空気と当該空気よりも湿度の低い外気とが混合して吸湿材８を通過することによって、吸湿材８に吸着されている水分を蒸発させる。水分を含んだ空気の一部は、クーラ吹出口２０あるいはヒータ吹出口２３から車室内に排出される。
【００２９】
このようにして、本実施形態では、暖房用のヒータ９を用いて吸湿材８から水分を蒸発させ、吸湿材８の水分吸収性能を回復させる再生が可能となっている。
したがって、本実施形態では、吸湿材８を空気導入経路３のみに固定して設置すればよく、引用文献１のように吸湿材８を再生用経路４にも移動可能とする移動機構を不要とし、吸湿材８を小型化でき、再生用のヒータを新たに設ける必要もなく、コンパクトに車両空調装置１を構成することができる。
【００３０】
そして、吸湿材８の再生は、吸湿材８において水分の吸収量が限界に近づいたときに必要とされるが、本実施形態では、車載バッテリの充電期間に行うように設定されている。なお、この車載バッテリの充電期間とは、充電が可能となる期間、具体的には例えば充電コードを接続したときから、充電コードを外して車両を発進させるまでの期間である。
図２は、本実施形態に係る車両空調コントロールユニット３０での再生制御要領を示す。
【００３１】
車両空調コントロールユニット３０は、再生制御として、外気温度センサ３１から外気温度Ｔを、バッテリ充電コントロールユニット４０から車載バッテリの充電率（ＳＯＣ：State Of Charge）情報を入力するとともに、プレ空調機能における設定時刻を入力し、ブロアファン７、ヒータ９及び内外気切換ダンパ１２を作動制御する。
本実施形態の再生制御は、バッテリ充電コントロールユニット４０から車載バッテリの充電開始信号（車載バッテリの充電が開始要求されたことを示す信号、例えば充電コードの接続信号等）が入力して、制御を開始する。
【００３２】
図２に示すように、始めに、ステップＳ１０では、外気温度センサ３１から外気温度Ｔを入力し、当該外気温度Ｔが所定温度Ｔ1以下であるか否かを判別する。所定温度Ｔ1は、上記吸湿材８の再生を行って車室内に水分を排出しても、車両の窓ガラスに結露が発生しないような温度に設定すればよい。外気温度Ｔが所定温度Ｔ1以下である場合には、ステップＳ２０に進む。外気温度Ｔが所定温度Ｔ1より大きい場合には、ステップＳ６０に進む。
【００３３】
ステップＳ２０では、吸湿材８の再生（第１の再生）を開始する。吸湿材８の再生は、上記のように、再生用経路４の入口２６、外気導入口１０、クーラ吹出口２０が開くように、流路切換ダンパ２７、内外気切換ダンパ１２、第１のモード切換ダンパ２４の作動を制御するとともに、吸湿材８を通過した空気の一部がヒータ９に流入するように温調ダンパ１３を中間値Ｐ2に制御し、更にヒータ９及びブロアファン７を作動させることで行われる。そして、ステップＳ３０に進む。
【００３４】
ステップＳ３０では、再生が略完了したか否かを判別する。ここで再生の略完了とは、吸湿材８に未だ水分が少し残っている状態であって、例えば吸湿材８に吸収されていた水分の９０パーセントが蒸発した状態である。このような状態は、例えば吸湿材８の前後の空気温度差を検出して判定してもよいし、簡易的に再生時間が所定の設定時間に到達したことによって判定してもよい。再生が略完了した場合には、ステップＳ５０に進む。再生がまだ略完了の状態に達していない場合には、ステップＳ４０に進む。
【００３５】
ステップＳ４０では、再生を継続する。そして、ステップＳ３０に戻る。
ステップＳ５０では、第１の再生を終了、即ち再生を中断する。詳しくは、ブロアファン７及びヒータ９の作動を停止する。そして、ステップＳ６０に進む。
ステップＳ６０では、車載バッテリの充電を開始するように、バッテリ充電コントロールユニット４０に充電開始許可信号を出力する。そして、ステップＳ７０に進む。
【００３６】
ステップＳ７０では、バッテリ充電コントロールユニット４０から車載バッテリの充電状態（ＳＯＣ）を入力し、当該ＳＯＣが所定値Ｓ１以上であるか否かまたはプレ空調が開始されているか否かを判別し、ＳＯＣが所定値Ｓ１以上であるか、またはプレ空調が開始されている場合には、ステップＳ９０に進む。ＳＯＣが所定値Ｓ１未満であり、かつプレ空調開始が開始されていない場合には、ステップＳ８０に進む。なお、所定値Ｓ1は、例えば９０パーセント程度に設定すればよい。
【００３７】
ステップＳ８０では、充電を継続するようにバッテリ充電コントロールユニット４０に信号を出力する。そして、ステップＳ７０に戻る。
ステップＳ９０では、吸湿材の再生(第２の再生)を開始する。なお、このときの再生では、外気温度センサ３１から外気温度Ｔを入力して、当該外気温度Ｔに基づいて室内の窓ガラスに結露が発生しないように、ブロアファン７の回転速度を可変制御して、車室内への空気の排出量を調整する。当該ブロアファン７の回転速度は、外気温度Ｔに基づいてあらかじめ確認して記憶しておいた値を用いればよい。そして、ステップＳ１００に進む。
【００３８】
ステップＳ１００では、再生が完了したか否かを判別する。再生の完了とは、例えば吸湿材８に保持されている水分が１００パーセント蒸発した状態である。再生が完了した場合には、ステップＳ１２０に進む。再生がまだ完了していない場合には、ステップＳ１１０に進む。
ステップＳ１１０では、再生を継続させる。そして、ステップＳ１００に戻る。
【００３９】
ステップＳ１２０では、所定時間経過後、再生を終了させる。詳しくは、再生が完了と判定されてから更に所定時間Ｔ2再生を行った後に、ブロアファン７及びヒータ９の作動を停止する。そして、ステップＳ１３０に進む。なお、この所定時間Ｔ2は、再生が確実に完了するように念のため行うものであり、例えば数分程度に設定すればよい。
ステップＳ１３０では、バッテリ充電コントロールユニット４０から車載バッテリの充電状態（ＳＯＣ）を入力し、当該ＳＯＣが所定値Ｓ2以上であるか否かを判別する。ＳＯＣが所定値Ｓ2以上である場合には、ステップＳ１５０に進む。ＳＯＣが所定値Ｓ2未満である場合には、ステップＳ１４０に進む。なお、所定値Ｓ2は、例えば１００パーセントに近い値に設定すればよい。
【００４０】
ステップＳ１４０では、充電を継続する。そして、ステップＳ１３０に戻る。
ステップＳ１５０では、充電を終了する。そして、本制御を完了する。
図３及び４は、充電期間におけるヒータ９、ブロアファン７の作動状況の一例を示すタイムチャートであり、図３は外気温度の低温時、図４は外気温度の高温時を示す。
上記ように、制御することで、車載バッテリの充電期間において、外気温度が所定温度Ｔ1以下である低温時には、図３に示すように、充電開始時(充電期間の開始時期)に、初めに第１の再生、即ち再生の全体量のうち若干残して再生を行い、その後充電を行って、充電率SOCが充電完了直前になった時点またはプレ空調開始時に残りの再生である第２の再生を行って完了させる。これにより、充電完了時あるいはプレ空調終了時、即ち充電期間の終了時期には再生が完了する。このように、車載バッテリの充電期間に行う再生を第１の再生と第２の再生の二度に分割して行うので、第２の再生時において車室内に排出される水分量を少なくすることができる。これにより、第２の再生時に車両の窓ガラスの結露を抑制することができる。更に、第２の再生の実行時間は第１の再生の実行時間より短くなっていることで、第２の再生時において車室内に排出される水分量を更に少なくすることができ、第２の再生時に車両の窓ガラスの結露を更に抑制することができる。
【００４１】
また、第２の再生において、外気温度Ｔに基づいてブロアファン７の回転速度を制御することで、車両の窓ガラスの結露を確実に防止することができる。
このように、第２の再生時に車両の窓ガラスの結露が防止されることで、充電完了時あるいはプレ空調完了時には、窓ガラスが結露しておらず、すぐに車両を発進させることができる。また、充電完了時あるいはプレ空調完了時の直前まで再生を行っているので、吸湿材８の顕熱をその後の暖房に利用して、エネルギー消費、即ち車載バッテリの電力消費を抑えることができる。
【００４２】
一方、充電期間において、外気温度が所定温度Ｔ1より高い高温時には、図４に示すように、第１の再生を行わず、全ての再生を第２の再生によって行う。外気温度が所定温度Ｔ1より高い高温時には、このように全ての再生を第２の再生によって行っても、再生時に窓ガラスに結露が発生しない。そして、充電完了時（あるいはプレ空調完了時）における吸湿材の顕熱を増加させ、その後の暖房使用時における電力消費を更に抑制することができる。
【００４３】
なお、本願発明は、上記実施形態に限定するものではない。例えば、上記再生制御のステップＳ７０において、車載バッテリのＳＯＣ、あるいはプレ空調開始のいずれかのみを判定してもよい。
また、上記実施形態では、第１の再生後に車載バッテリの充電を開始しているが、第１の再生と同時に充電を行ってもよい。
【００４４】
また、上記実施形態では、第２の再生において、外気温度Ｔに基づいてブロアファン７の回転速度を制御しているが、各ダンパ１２、１３、２４、２５、２７を制御して、車室内に排出される空気の流量を制御してもよい。
また、上記実施形態の車両は電気自動車であるが、プラグインハイブリッド車でもよく、外部電源から車載バッテリに充電可能な車両に広く本願発明を適用することができる。
【符号の説明】
【００４５】
１  車両空調装置
３  空気導入経路
４  再生用経路（還流路）
７  ブロアファン（空気流量可変手段）
８  吸湿材
９  ヒータ
３０  車両空調コントロールユニット（再生制御手段、プレ空調制御手段）
３１  外気温度センサ（外気温度検出手段）
【図１】
2015024707.tif 000003
【図２】
2015024707.tif 000004
【図３】
2015024707.tif 000005
【図４】
2015024707.tif 000006